(57)【特許請求の範囲】
【請求項１】
表示パネル部の規則的アレーで形成された電子画像表示装置用のマウント及びレベリングシステムであって：
少なくとも１つの磁気要素の第１セットを含み、Ｘ−Ｙ面を定義する支持プラットフォーム；
前記支持プラットフォームに向いた後側と、前記後側に沿って配置される、少なくとも１つの磁気要素の第２セットとを有するモジュールであって、前記磁気要素の第２セットが、前記磁気要素の第１セットと協働して、前記モジュールを前記支持プラットフォームに磁気的に引き付けてマウントし、同時に、前記モジュールのＸ−Ｙ位置を、前記モジュールを前記Ｘ−Ｙ面に沿って移動させて調整可能とし、前記後側と反対側の外面と、前記外面に取り付けられる表示パネル部とを含み、前記外面は、前記表示パネル部の表示面と同一寸法以下の外面を有することにより、前記システムの使用時に前記表示パネル部の外周を越えて延在する前記モジュールの部分がない、当該モジュール；並びに、
前記表示パネル部と前記支持プラットフォームとの間のＺ方向の距離を調節するように配置された、複数の、調節可能な止め部であって、それによって、前記規則的アレーの隣接表示パネル部の相対的レベリングを容易にする、当該止め部；
を備える、マウント及びレベリングシステム。
【請求項２】
前記モジュールは、前記表示パネル部を取付可能なキャリアと、前記磁気要素の前記第２セットを取付可能なベースプレートとを含み、前記止め部は、前記キャリアを前記ベースプレートに取り付けるものであり、前記止め部は、それぞれ、前記表示面の後側の前記キャリアに移動可能にマウントされた磁性部品を含み、前記磁性部品は、それぞれ、前記表示面に隣接する磁場の印加に応じて移動可能であり、それによって前記止め部が、前記キャリアを取り外すことなく、又は、前記モジュールの後側から前記マウント及びレべリングシステムを操作することなく、前記キャリアと前記ベースプレートとの間で移動して距離を調節可能である、請求項１に記載のシステム。
【請求項３】
前記調節可能な止め部のそれぞれは、前記表示パネル部が取り付けられた前記キャリアの外面の後側に配置された磁気ヘッドを有するねじである、請求項２に記載のシステム。
【請求項４】
前記調節可能な止め部は、前記ベースプレートに向いた前記キャリアの後面を後方に突出するシャンクを含む、請求項２に記載のシステム。
【請求項５】
磁気要素の前記第１セット及び前記第２セットの少なくとも１つの前記磁気要素は、永久磁石を含む、請求項１に記載のシステム。
【請求項６】
磁気要素の前記第１セット及び前記第２セットの他方の前記磁気要素は、基本的に磁性材料からなる、請求項５に記載のシステム。
【請求項７】
前記支持プラットフォームと前記モジュールとの間の磁気吸引力を開放することで前記モジュールを自由にすることができ、また、前記支持プラットフォームから前記モジュールを取り外すと同時に前記モジュールを保持することができる、取外しツールを更に備える、請求項１に記載のシステム。
【請求項８】
前記モジュールは、移動可能なブレーカーアームを備えるイジェクト機構を含み、前記イジェクト機構は、前記表示面の後側からアクセスする必要なく、前記表示面の前からイジェクト磁石を介して操作可能であり、それにより、前記ブレーカーアームは、前記磁気要素の第２セットから前記磁気要素の第１セットを分離するのに十分な力で、前記支持プラットフォームに対して運ぶ、請求項１に記載のシステム。
【請求項９】
複数の表示パネルのマウント及びアライメント用システムであって：
磁気要素の第１セットの少なくとも１つを含む支持部であって、各第１セットが前記支持部のモジュール支持面を形成する支持部；並びに、
複数のモジュールであって、それぞれが、ベースプレートと、調節可能なキャリアプレートとを含み、前記ベースプレートが前面および後面を含み、また、前記キャリアプレートが、前記ベースプレートの前記前面に調節可能に取り付けられており、各モジュールは、外周を有し、また、前記ベースプレートの前記後面に取り付けられ、また、前記モジュールの後面を形成する、磁気要素の第２セットを含む、当該複数のモジュール；を備え、
前記支持部の各モジュール支持面と前記モジュールの各後面とは、組み合わせて、前記支持部と前記モジュールとの間に磁気吸引力を供給し、また、前記支持部に対する前記モジュールの摺動調節のために前記支持部と前記モジュールとの間に摺動面を形成し；
前記キャリアプレートは、当該キャリアプレートに表示パネルを取り付けるための、前記ベースプレートから離れるように向いた外面と、前記ベースプレートに向いた後面と、前記キャリアプレートの外周の周りに間隔を置いて配置された１組のキャビティとを有し；また、
１組の調節可能な止め部であって、それぞれ、
・前記キャビティの１つに保持された磁気ヘッドであって、前記磁気ヘッドの前面が前記キャリアプレートの前記外面よりも後方に窪み、また、前記磁気ヘッドが磁場の印加に応じて移動可能である磁気ヘッドと、
・前記キャリアプレートの前記後面の孔を通して前記磁気ヘッドから延在するシャンクであって、前記磁気ヘッドが移動したときに前記ベースプレートと前記キャリアプレートとの間の距離を調節するように、前記ベースプレートと操作可能に結合するシャンクと、を含む止め部；を更に備えるシステム。
【請求項１０】
前記キャリアプレートに取り付けられた表示パネル部を備える、請求項９に記載のシステム。
【請求項１１】
前記調節可能な止め部のそれぞれは、前記キャリアプレートの前記外面の後側に配置された磁気ヘッドを有するねじである、請求項９に記載のシステム。
【請求項１２】
前記支持部と前記モジュールとの間の磁気吸引力を開放することで前記モジュールを自由にすることができ、また、前記支持部から前記モジュールを取り外すと同時に前記モジュールを保持することができる、取外しツールを更に備える、請求項９に記載のシステム。
【請求項１３】
前記モジュールは、移動可能なブレーカーアームを備えるイジェクト機構を含み、前記イジェクト機構は、前記表示パネルの後側からアクセスする必要なく、前記表示パネルの前からイジェクト磁石を介して操作可能であり、それにより、前記ブレーカーアームは、前記磁気要素の第２セットから前記磁気要素の第１セットを分離するのに十分な力で、前記支持部に対して運ぶ、請求項９に記載のシステム。
【請求項１４】
複数の表示パネルのマウント及びアライメント用システムであって：
複数の表示パネルモジュールであって、それぞれ、正多角形状の表示側と、前記表示側と反対側の後側と、前記表示パネルモジュールの前記後側に沿って後面を定義する、磁気要素の第１セットとを有する表示パネルモジュール；並びに、
分離した支持部の集合体を含む支持プラットフォームであって、前記支持部の隣接する１つ同士は、その相互間にシームを定義し、さらに、当該シームに掛け渡されている１つ以上のリンクブラケットを含み、当該リンクブラケットのそれぞれは、前記隣接する支持部に固定されているとともに当該隣接する支持部を取外し可能に結合しており、各支持部は、モジュール支持面を定義する、磁気要素の第２セットと共に前記正多角形状を有し、前記支持部の少なくともいくつかは、複数の表示パネルモジュールを支持するように寸法化され、全ての前記支持部は、表示パネルモジュールの全数を支持するようにサイズ化されることにより、前記支持部が表示パネルモジュールの規則的アレーを支持することができる支持プラットフォーム；
を備え、各表示パネルモジュールにおける前記磁気要素の第１セットは、１つの前記支持部における前記磁気要素の第２セットと協働して、前記表示パネルモジュールを前記支持プラットフォームに磁気的に引き付けて摺動可能にマウントする、システム。
【発明の詳細な説明】
【関連出願】
【０００１】
この出願は、米国特許法第１１９条（ｅ）項の下、２０１４年１２月２９日付で出願された米国仮出願第６２／０９７５３９号と、２０１５年２月９日付で出願された米国仮出願第６２／０１４０２１号の各優先権を主張するものであり、これらの先行出願は参照によって本明細書に組み入れられている。
【技術分野】
【０００２】
本発明は、電子画像表示パネル（例えば、直視型ＬＥＤ表示パネル）の配列用位置決めシステムに関し、特に、個々のパネルの位置決め及び相対的アライメント（位置合わせ）を調節するために、外側から表示パネルアレーの前面を操作することができる、磁気止め部を隠蔽配置した位置決めシステムに関する。
【背景技術】
【０００３】
この技術分野において既知のマウント（据付）及び位置決めシステムは、多くの場合複数の表示パネル又は表示パネル部を規則的アレーに組み付けて、ビデオ映像や画像が多重表示パネル部上に表示される、より大きなディスプレイを形成している。各パネル又はパネル部は、それ自体、規則的アレーが、より少ない設置・調節プロセスの繰返しで、より大きな表面領域を覆うことができるように、キャリアプレートに集められた多重タイルを含む。多重パネル部にわたる画像の均一性は、発光部品のそれぞれの間に等距離間隔を要求している。直視型発光ダイオード（ＤＶ−ＬＥＤ）ディスプレイにおいて、表示パネルのピッチは、個々のＬＥＤの間隔として定義されており、数ｍｍから数ｃｍ以上のどこでもよい。画像におけるピッチ変化は、不自然に明るいか、又は薄暗いスポットとして現れる。明るさは、互いに近すぎる間隔が原因であり、薄暗さは、遠すぎる間隔が原因である。多重パネル部を一緒にアレーとして配置する場合、パネル部の境界は、前記パネル部が互いに近すぎる間隔のときに明るい線として、前記パネル部が遠すぎる間隔のときに薄暗い線として現れることとなる。このような視認可能な「シーム」は、画像表示にとって望ましくない。
【０００４】
多重パネル部にわたる画像の均一性を達成するには、隣接するパネル部の端縁が同一平面上に配置する必要がある。１つの端縁が隣接する端縁に対して撓んでいれば、前記端縁は、一方の斜めの角度から見る場合に画像における明るい線として、他方の斜めの角度から見る場合には薄暗い線として現れることとなる。表示パネル部端縁の撓み又は曲げは、壁又は他のフレームとすることのできるアレーの裏当て自体の撓み、曲がり、又は浮き沈みを克服困難にする。同一平面上に端縁がないことは、或る角度からアレーをみたときに、不所望の可視シームを生じさせる。
【０００５】
このように、本発明者らは、画像均一性を達成するためには、隣接する端縁が正しく間隔を置いて同一平面上に配置されるように、表示部の注意深い位置決めが要求されることを認識した。従来技術に係るマウントシステムは、表示部の位置決めの任意の調節を供給するが、こうした調節は、面倒であり、多くの場合、表示パネル部の多重反復調節を要する。一般的に、表示部は、マウントが調節される度に取り外さなければならず、また、その後、表示パネル部はアライメントをチェックするために前記アレー内で交換しなければならない。本発明は、従来技術の表示パネルマウントシステムにおける上述した欠点に着目して、より改良されたマウントシステムを提案するものである。
【発明の概要】
【０００６】
本明細書に開示されたシステムは、例えば、壁に、大型ディスプレイを備える複数の表示部のアレーの設置が容易になるように、同時に、表示部の間のシームの前記視認可能性が最小限に抑えられるように設計される。このシステムによれば、前記アレーの後部、上部、下部、又は側部からのアクセスを必要とすることのなく、前部からのアクセスのみの設置を達成するという、更なる利点を認識することができる。
【０００７】
本開示の他の態様において、第１オブジェクトと第２オブジェクトとの間の隠蔽された調節可能な接続を供給するための装置は、前記磁気ヘッドは、その回転軸に対して垂直な磁気モーメントを生じさせる磁気ヘッドを有するねじを含む。
【０００８】
更なる態様及び利点は、添付図面を参照して以下に開示される好適な実施形態についての詳細な説明から明らかになるであろう。
【図面の簡単な説明】
【０００９】
【図１】第１実施形態による表示パネルマウントシステムを介して、壁に対して表示部のアレーを設置することを含む、表示装置の、部分的に分解された斜視正面図である。
【図２】図１の表示装置の後方斜視図である。
【図３】１つの１×１マウントプレートアセンブリと、１つの表示パネルモジュールとの分解斜視図である。
【図４】作動状態で示された、表示パネルモジュールのイジェクト機構と共に、表示パネルモジュールに取り付けられた、設置／取外しツールの一実施形態である。
【図５】表示パネル部及び図４の設置／取外しツールの模式図を含んだ、支持プラットフォームにベースプレートのラッチと共に結合された状態で取り付けられた図３の表示パネルモジュールのベースプレートの断面図である。
【図６】他の実施形態による設置／取外しツールの斜視図である。
【図７】調節ねじを調節するための磁気ドライバツールと共に表示パネルモジュールの調節ねじを模式的に示し、マウントプレートアセンブリが省略された図３の表示パネルモジュールの拡大断面図である。
【発明を実施するための形態】
【００１０】
図１は、表示パネル部１２の規則的アレーを備える電子画像表示装置１０の設置を示す。表示装置１０は、裏当ての形態であって、代替的に、フレーム又はオープンスタッド又は他の支持構造を備える壁１４に固定されている。壁１４又は他の支持構造は、好適には平坦であるが、傾斜させ、又は、角度を付けて、又は、湾曲させることもできる。マウントプレートアセンブリ２０及び２２（マウントブラケット又はマウントプラットフォームとしても知られている）は、壁１４に固定されている。マウントプレートアセンブリ２０、２２は、１つ以上の支持部２４，２５からなる支持プラットフォームを形成する。各マウントプレートアセンブリ２０、２２は、ねじ又は止め具によって支持部２４、２５のそれぞれを壁１４に取り付けるための、複数のコーナーマウント２６を含む。
【００１１】
各コーナーマウント２６は、コーナーマウント２６を、それぞれの支持部、例えば、支持部２４に調節可能に接続するジャッキねじのような、調節可能なスタンドオフねじ３０を含む。スタンドオフねじ３０の回転調節によって、接続された支持部２４は、Ｚ軸に沿って、壁１４に向かって又は壁１４から離れるように、壁１４に対して移動する。スタンドオフねじ３０の調節は、Ｚ軸に沿って支持部２４（又はそのコーナー）を移動させ、Ｚ壁軸に対する支持部２４の回転又は曲げを生じさせる。このように、壁１４が不均一な表面を有する場合であっても、１つ以上のスタンドオフねじ３０の調節によって、支持部２４を平坦にさせることができ、支持部２４での曲げを減少させることができる。スタンドオフねじ３０はまた、相対的なアライメント（位置合わせ）及び共面性が改善されるように、隣接する支持部２４，２５における、Ｚ位置及び傾斜を大まかに調節可能にする。他の実施形態（図示せず）では、電子画像表示装置１０の曲げバージョン用の、所望する、屈曲又は輪郭の、支持プラットフォーム又は支持面を達成するように、支持部を、設計し、及び／又は、配置することができる。例えば、複数の支持部は、隣接する支持部が滑らかな曲線に近づくように調整できるスタンドオフねじ３０によって、凹曲線又は凸曲線の一連の面として配置することができる。
【００１２】
表示パネル部１２のアレーは更に、多重表示パネルモジュール５０（モジュール）を含む。各モジュール５０は、取り付けられた表示パネル部１２を含み、当該表示パネル部１２は、モジュール５０の表示面５２を備える。モジュール５０はまた、表示パネル部１２が取り付けられたキャリア５４（図３を併せて参照。）を含む。図１の実施形態では、各表示パネル部１２は、４つの独立したタイル５８を含み、当該タイル５８のそれぞれは、キャリア５４に固定されている。他の実施形態（図示せず）では、表示パネル部１２は、１つのタイル、又は、２，４，６，８，１２又は１６のタイル等の任意の他の数のタイルを含んでいてもよい。当該タイルは、例えば、一般的には正多角形状のアレーで配置されるが、代替的に、以下で述べるような他の形状で配置される。モジュール５０はまた、ベースプレート８０を含み、当該ベースプレート８０は、図３を参照して以下で更に説明するように、磁気吸引力による、支持部２４に対する、調整可能かつ位置決め可能なモジュール５０の取付を容易にする。
【００１３】
支持部２４及び２５は、複数組の磁気要素９０を提供し、各組は、１つのモジュール５０に対応した一群の磁気要素９０を備える。各組の磁気要素９０は、１つの表示パネルモジュール５０のベースプレート８０と磁気的に相互作用するように設計されており、モジュール５０は、磁気吸引力によって支持部２４又は２５に取り付けられる。図示の実施形態では、磁気要素の一組１００は、１２個の個別的な磁気要素９０を含むが、代替的な磁気要素の一組は、１個のみ、３個、４個、５個、６個、８個、９個、１０個、又は、任意の他の個数の個別的な磁気要素を含んでもよい。支持部２４内には、磁気要素９０の一組１００が６つあり、各一組は、他方の一組から間を置いて配置されていると共に、磁気要素の各組に磁気的に取り付けられている、１つのモジュール５０と共に、ツーバイスリーの構成で長方形に収容するために、計６つの表示パネルモジュール５０を、そこにアライメント（位置合わせ）している。或いは、本開示は、支持部内での、他の、一組の配置を意図している。例えば、支持部２５は、ワンバイスリー（１×３）の構成で３組を含み、また、他の支持部は、１つの組（１×１）、又は、例えば、ワンバイフォー（１×４）、ワンバイツー（１×２）、ツーバイスリー（２×３）及びツーバイフォー、並びに、より大きな、他の長方形の構成を含んでいてもよい。他の実施形態（図示せず）では、表示パネル部は、三角形形状、五角形形状、六角形形状、又は、他の規則的若しくは不規則な多角形形状であってもよい。こうした実施形態では、前記支持部は好適には、並んで配置された（多角形形状のような）表示パネル部の全数を収容するように形作られている。例えば、三角形状の表示パネル部を収容するように設計された支持部は、平行四辺形（２つの部分）の形状、台形（３つの部分）の形状、六角形（６つの部分）の形状、又は、複数の三角形で形成できる任意の他の規則的な多角形の形状を有する。このように、前記支持部及び前記支持プラットフォームの寸法及び形状は、図１に示すような長方形に限定されないが、好ましくは、磁気要素の一組の全数を供給すると共に表示パネル部の全数を収容するように寸法化する。
【００１４】
各支持部２４又は２５は、モジュール５０のための接触面である、１つ以上の前向きモジュール支持面１０６を含む。各モジュール支持面１０６は、Ｘ−Ｙ面を定義する（こうした定義は、モジュール支持面１０６が完全に平坦ではない状態で近似していると理解される）。図示の実施形態では、モジュール支持面１０６は、個々の支持部２４又は２５内に、１つの、磁気要素９０の一組１００を含む。他の実施形態では、モジュール支持面１０６は、複数の、磁気要素９０の一組１００を含んでもよい。磁気要素９０が、好ましくはＺ軸方向に主前面１１０及び１１２を超えて延在すると共に、モジュール０が主前面１１０及び１１２に接触することなく、マウントプレートアセンブリ２０又は２２に磁気的に取り付けられるために、モジュール５０のための平面接触面を集合的に供給するように平面上に位置するという点で、一般的に、モジュール支持面１０６は、各支持部２４及び２５の、主前面１１０及び１１２と区別される。このように、モジュール支持面１０６は、Ｘ−Ｙ面に位置するように通常に配置された、磁気要素９０の一組１００の複数の、表面の集合体若しくは１つの連続面、又は、磁気要素９０及び他の表面の組合せを備えることができる。一組１００の磁気要素９０のいくつか又は全ては、或る実施形態では、Ｚ軸方向に主前面１１０及び１１２の後側に窪んでいてもよく、これによって、モジュール５０の非接触を供給し、なお同時に、主前面（１１０及び１１２）の全部又は一部がモジュール支持面として機能するように、マウントプレートアセンブリ２０又は２２に対して磁気的にモジュール５０を取り付けるための十分な磁気吸引力を供給するという点で、モジュール支持面１０６は、或る実施形態では、磁気要素９０と異なっている。
【００１５】
好適には、電子画像装置１０の設置は、表示パネル部１２が実質的に平面上にあることを供給する。モジュール５０は、各表示パネル部１２の平面性の任意の微調整のために設けられるけれども、支持部２４及び２５の初期位置決めは、同一平面アレーのための基礎を供給する。支持部２４及び２５のモジュール支持面１０６内、又は、支持部２４及び２５のモジュール支持面１０６の間の、平面性の不一致は、表示パネル部１２に広まりやすく、組み付けられた装置１０に表示された画像に、望ましくない視認線を生じさせる結果になる。従って、モジュール支持面１０６内で平滑性を達成すると共にモジュール支持面１０６の間の平面性を達成することは、重要である。一般的に、より困難な問題は、２つの異なる支持部２４及び２５のモジュール支持面１０６の間のシーム１４０のような、シームを横切る平面性を達成することである。本開示によるマウントシステムの特定の実施形態の利点の１つは、当該マウントシステムが、複数の表示パネル部１２をそれぞれ含む支持部２４又は２５のために設けられていることである。例えば、装置１０は、９つの表示パネル部１２を収容するが、支持部２４及び２５の間にあるのは、ただ１つのシーム１４０である。モジュール支持面１０６の間のシームの数を減少させることによって、この配置は、表示パネル部１２の規則的アレーの同一平面上の設置を容易にする。
【００１６】
シーム１４０を横切る、複数の表示パネル部１２のアライメントを改善するため、スタンドオフねじ３０は、異なる支持部のモジュール支持面１０６のＸ−Ｙ面とのアライメントのために、支持部及びそのモジュール支持面１０６を回転することができる。更に、シーム１４０は、支持部２４の接触端縁１４４と、支持部２５の接触端縁１４６とをそれぞれ含む。調節可能なスタンドオフねじ３０は、Ｚ軸に対して接触端縁１４４及び１４６の独立した回転を可能にする。これは、シーム１４０を横切る接触端縁１４４及び１４６の垂直（Ｚ軸）アライメントのために設けられており、シーム１４０を横切る表示パネル部１２の同一平面上の設置を容易にする。更に、接触端縁１４４及び１４６は、シーム１４０において、一定距離だけ離して間隔を置いてもよく、その結果、シーム１４０の幅は、実質的に、その長さに沿って変化しない。支持部２４，２５の正確なアライメントと、支持部２４及び２５の間における接触端縁１４４及び１４６の間隔とは、シーム１４０を横切るＬＥＤの間の一定のピッチの提供を容易にする。
【００１７】
図１の表示装置１０の後方斜視図を示している図２を参照すれば、複数のリンクブラケット１５０は、接触端縁１４４，１４６に隣接する支持部２４，２５の、予め位置決めされた孔１５２を通して取り付けられたボルトによって、予め定義された間隔で、シーム１４０を横切って支持部２４及び１５に取り付けられている。予め位置決めされた孔１５２の位置は、リンクブラケット１５０が取り付けられるときに支持部２４及び２５が一定距離だけ離れて配置されるように設計される。各リンクブラケット１５０は、同一平面上の配置で、支持部２４，２５を保持するように設計され、シーム１４０を横切って表示パネルタイル１２の同一平面上の配置を容易にする。
【００１８】
図３は、１つの表示パネルモジュール５０を支持するように構成された、１×１マウントプレートアセンブリ１７０の後方斜視図を示す。図３を参照すると、（明確にするためにマウントプレートアセンブリ１７０から離して分解された状態で示された）モジュール５０は、ベースプレート８０、キャリア５４及び表示パネル部１２を含む。マウントプレートアセンブリ１７０は、コーナーマウント２６と、磁気要素９０と、モジュール支持面１０６を有する支持プラットフォーム部１７２とを含む。支持プラットフォーム部１７２は、マウントプレートアセンブリ１７０に１つの表示パネルモジュール５０を取り付けるために、Ｘ−Ｙ面を定義する、磁気要素９０の一組１００を支持する。
【００１９】
ベースプレート８０は、支持プラットフォーム部１７２のモジュール支持面１０６に向いた後側１８０を有する。後側１８０は、磁気要素１８４の一組１８２を含む。図示の実施形態では、一組１８２は、１２の個別的な磁気要素１８４の一組１８２を含むが、磁気要素の代替的な一組は、１つだけ又は任意の数の、個別的な磁気要素を含んでもよい。磁気要素１８４は、共通の平面上に位置してマウントプレートアセンブリ１７０の磁気要素９０の一組１００と協働するように、後側１８０に配置され、ベースプレート８０を支持プラットフォーム部１７２に対して磁気的に引き付けてマウントする。磁気要素１８４の一組１８２は、支持プラットフォーム部１７２のための接触面である、モジュール５０の後面１８６を形成するように協働する。モジュール５０が支持プラットフォーム部１７２に対してマウントされたとき、後面１８６は、モジュール支持面１０６に接触し、また、モジュール支持面１０６と組み合わさって、支持プラットフォーム部１７２に対するモジュール５０の摺動を可能にする摺動面を形成する。前記摺動面は、モジュール支持面１０６によって定義されたＸ−Ｙ面に沿ってベースプレート８０を手動で摺動させることによって、ベースプレート８０のＸ−Ｙ位置を調節可能にする。ベースプレート８０のＸ−Ｙ位置の調節には、Ｘ−Ｙ面での回転と同様、Ｘ軸、Ｙ軸、又は、その両方に沿った移動を含まれる。図示の実施形態では、後面１８６は平坦であるが、代替的な実施形態では、やや浮き沈んだ面、粗い面、又は、他の不連続な面を供給することができる。支持プラットフォーム部１７２に対するベースプレート８０の摺動量は、磁気要素９０及び磁気要素１８４の寸法によって制限される。磁気要素１８４の部分は、磁気要素９０の前に（Ｚ軸に沿って）位置決めされていない場合、一組１８２と一組１００との間の磁気吸引力は、モジュール５０の重量を支持するのに不十分である。従って、モジュール５０は好ましくは、磁気要素１８４の部分が磁気要素９０の部分よりも前に位置決めされない位置に向かって任意の方向に摺動させることを許容すべきではない。代替的な実施形態は、磁気要素９０又は８０又はその両方の寸法を増加させることによって、Ｘ−Ｙ面におけるモジュール５０の摺動調節の範囲を、より広くするために設けることができる。いくつかの実施形態（図示せず）では、一対のねじ調整具のような、精密なＸ−Ｙ調節装置を、モジュール５０と支持プラットフォーム部１７２との間に介在させることができる。ベースプレート８０のＸ−Ｙ位置を調節することの利点の１つは、隣接する表示パネル部１２の位置決めを、その間に、表示パネル部１２の規則的アレーを横切るＬＥＤピッチを中断させ、表示される画像に望ましくない視認可能な明るい線又は暗い線を生じさせ得る隙間を形成することなく、容易にすることである。
【００２０】
好適には、磁気要素９０及び１８４は、永久磁石であり、より好適には、スチールを含んだ永久磁石（「ポットマグネット」としても知られている）である。前記ポットマグネットは、当該ポットマグネットと他の磁気要素との間にエアギャップが形成された場合、磁場を収束して磁束を変化させる。代替的に、磁気要素は、電磁石を含む場合がある。いくつかの実施形態では、磁気要素の第１セット（例えば、磁気要素９０の一組１００）は、永久磁石又は電磁石から形成され、同時に、磁気要素の他の組（例えば、磁気要素１８４の一組１８２）は、基本的に、前記第１セットの永久磁石に引きつけられる、スチールのような、磁性材料からなる。いくつかの実施形態では、前記磁気要素は、支持プラットフォーム部１７２又はベースプレート８０の一部と一体的なものとすることができる。例えば、前記支持プラットフォーム部は、スチールのような磁性材料からなるものとすることができる。
【００２１】
キャリア５４は、表示パネル部１２に取り付けられた外面２０４を有している。外面２０４は、表示面５２と同一又はそれよりも小さい寸法である。この構成により、隣接する表示パネル部１２が互いに直接接触することを可能にし、それによって、表示パネル部１２のアレーを横切って、ＬＥＤの均一なピッチを中断し、結果として生じる画像に望ましくない視認線を生じさせるような、表示パネル部１２の間の隙間の発生を防止する。従って、キャリア５４の部分は、表示パネル部１２の外周を超えて延在しない。
【００２２】
外面２０４と反対の側には、キャリア５４は、ベースプレート８０に向いた後面２０６を有している。キャリア５４をベースプレート８０に取り付けるため、１つ以上の調節可能な止め部２２０が後面２０６を通して突出している。図示の実施形態では、調節可能な止め部２２０は、図７を参照して以下で説明する、ねじタイプのような、ねじ止め部であり、後面２０６を通して、又は、後面２０６から突出するシャンクを備えるが、代替的に、カム、チェーン、可撓性を有したベルト又は調節可能なアタッチメントの他の手段を含んでもよい。調節可能な止め部２２０は、それぞれ、外面２０４の後側でキャリア５４に移動可能に取り付けられた、磁気ヘッド２２２のような、磁性部品を含んでいる。磁気ヘッド２２２の上面２２６は、外面２０４の後方に窪むことにより、表示パネル部１２は外面２０４に対して平坦に横たわる。キャリア５４は、好適には、各磁気ヘッド２２２をポケット２３０又はキャビティ内に収容する。ポケット２３０又はキャビティは、図７を参照して以下で説明されるように、調節可能な止め部２２０が調節される場合に、磁気ヘッド２２２の移動を許容する空間を供給する。キャリア５４は、好適には、キャリア５４の外周の周りで間隔を置いて配置された、ポケット２３０又はキャビティの一組を含んでいる。ポケット２３０は、キャリア５４の操作に不可欠ではないが、（図７の実施形態で示された）オープンカラー２４０、又は、他のブラケットもしくは取付構造のような、代替手段と一緒に構成し、又は、当該代替手段で形成してもよく、当該代替手段は、磁気ヘッド２２２を収容する、キャビティ又はポケット２３９を定義しても、定義しなくともよい。一実施形態では、キャリア５４は、５つの調節可能な止め部２２０を保持する、５つのポケット２３０又はキャビティを含み、当該ポケット２３０又はキャビティを、キャリア５４のコーナーのそれぞれと、キャリア５４の長手方向端縁に沿った中間とに含む。調節可能な止め部２２０の配置は、好適には、ピッチ（キャリア５４のＸ軸周りの回転向き）、ヨー（キャリア５４のＹ軸周りの回転向き）及びキャリア５４の撓み（曲げ）の調節が可能となるようにする。他の実施形態では、各モジュール５０のために、より多くの数の又はより少ない数の、調節可能な止め部２２０を使用することができる。
【００２３】
ベースプレート８０は、１つ以上の安全ラッチ２７０を含む。モジュール５０は、支持プラットフォーム部１７２に取り付けられる場合、各安全ラッチ２７０は、支持プラットフォーム部１７２のラッチ受け部２７２を通って延在すると共に引っ掛かり部２７４周りに延在する。安全ラッチ２７０は、格納された状態でない限り、延在（掛り）位置に留まるように設計されており、こうして、モジュール５０が、意図することなく、例えば、設置もしくは提供中、又は、磁気要素９０及び１８４の間の磁気吸引力が弱まったり又は失われたりした思いもかけない出来事中に、落下し又は脱落するのを防止する。ベースプレート８０は、以下の図４を参照して説明する、１つ以上のイジェクト機構２８０を含み、当該イジェクト機構２８０は、磁気要素９０及び１８４の間の分離を強制することによって、マウントプレートアセンブリ１７０からモジュール５０を取り外すように選択的に作動することができる。
【００２４】
図４は、モジュール５０に取り付けられた、設置ツール又は取外しツール３００の斜視図であり、イジェクト機構２８０を作動状態に保持する、ツール３００のイジェクションマグネット３０２を図示する。ツール３００は、上面３０６及び下面３０８を有する可撓性パッド３０４を含む。ツール３００がモジュール５０に取り付けられた場合、下面３０８は、表示面５２に向いて接触する。ツール３００を持ち上げてモジュール５０に取り付けるために、１つ以上のハンドル３１０がツール３００の上面３０６に取り付けられている。
【００２５】
表示パネル部１２は、複数のタイル５８と、各タイルのためのヒートシンク３３０を含む。電子画像装置１０の一部として動作する場合、各タイル５８は熱を生じる。図４に示す実施形態では、ヒートシンク３３０は、タイル５８とキャリア５４との間に介在し、タイル５８からの熱をキャリア５４に伝える。（図示せぬ）他の実施形態では、しかしながら、ヒートシンク３３０は省略することができ、また、タイル５８は、キャリア５４に直接設置することができ、キャリア５４は一次ヒートシンクとして機能する。
【００２６】
イジェクト機構２８０は、モジュール５０が支持プラットフォームに磁気吸引力によって取り付けられるときに、（図３の支持プラットフォーム部１７２又は図１の支持部２４、２５のような）支持プラットフォームを押圧するための、支持面３４８を含む。図４は、作動状態のイジェクト機構２８０を示し、支持面３４８は、支持プラットフォームと接続するために、ベースプレート８０の後面１８６を超えて延在している。イジェクト機構２８０は、表示パネル部１２の反対側から磁気的に作動する。ツール３００がモジュール５０に取り付けられるとき、イジェクションマグネット３０２は、イジェクト機構２８０における複数の磁気要素３５０のそれぞれの反対側の、表示パネル部１２の前に位置決めされる。磁気要素３５０は、イジェクト機構２８０の遮断アーム３５８を介してベースプレート８０に移動可能に取り付けられている。ピン又は他のリンク３５４は、ベースプレート８０に摺動可能に取り付けられた、イジェクト機構２８０のトラベラーブロック３５２に、遮断アーム３５８を回転可能に固定する。ピン３６２は、ベースプレート８０の外周に、各遮断アーム３５８の中間部を回転可能に固定する。好適には、イジェクションマグネット３０２と磁気要素３５０との間の磁気吸引力によって生じる、支持面３４８での支持力を最大にするため、各遮断アーム３５８は、遮断アーム３５８の一端でトラベラーブロック３５２に取り付けられている。イジェクションマグネット３０２と磁気要素３５０との間の磁気吸引力は、遮断アーム３５８を通して、支持面３４８と、（図３の支持プラットフォーム部１７２のような）モジュール５０が取り付けられた支持プラットフォームとの間の機械的な支持力に変換される。ツール３００及びイジェクションマグネット３０２は、表示パネル部１２の後側からのアクセスを必要とすることなく、前のみからの、表示パネル部１２のイジェクト機構２８０の操作を可能にする。このように、表示面５２に隣接して設置ツール３００を配置すれば、イジェクト機構２８０を動作させ、設置ツールにモジュール５０を磁気的に引き付けることにより、モジュール５０は、ハンドル３１０を使用して持ち上げて運ぶことができる。モジュール５０からのツール３００の取外しは、可撓性パッド３０４の端縁又はコーナーを、表示面５２から上向きに離して曲げることによって行われ、可撓性パッド３０４とモジュール５０との間の磁気吸引力を開放する。
【００２７】
図５は、キャリア５４、表示パネル１２及びツール３００と共に、支持プラットフォーム部１７２に取り付けられたベースプレート８０の模式断面図である。ラッチ機構４００は、安全ラッチ２７０を含んでいる、この安全ラッチ２７０は、支持プラットフォーム部１７２の、ラッチ受け部２７２を通って引っ掛かり部２７４の周りに延在している結合位置で示されている。ツール３００を使用した支持プラットフォーム部１７２からのモジュール５０の取外しは、安全ラッチ２７０の結合の解除が必要である。安全ラッチ２７０を動作させ、それによって、支持プラットフォーム部１７２から安全ラッチ２７０の結合の解除するため、作動磁石４０２は、表示パネル部１２の外側に位置決めされている。作動磁石４０２は、表示パネル部１２の前側の、安全ラッチ２７０と反対側に位置決めされているとき、作動磁石４０２は、リンク機構４０６によって安全ラッチ２７０に接続された磁気要素４０４を引き付ける。作動磁石４０２は、表示パネル部１２に向かって前方に、磁気要素４０４を引き付けると、リンク機構４０６は、安全ラッチ２７０を引っ掛かり部２７４から離れるように引っ張ることにより、安全ラッチ２７０は、支持プラットフォーム部１７２からのベースプレート８０の分離を妨げることができない。選択的にかつ制御可能に、安全ラッチ２７０を解放するために、手動式動力伝達機構によって、ツール３００の残部に対する作動磁石４０２の位置を制御してもよい。
【００２８】
図６は、他の実施形態による、設置／取外しツール４１０の斜視図である。図６を参照すれば、ツール４１０は、持上げプラットフォーム４１２を含んでいる。この持上げプラットフォーム４１２は、好適には、可撓性パッドに代えて、アルミニウムのような非磁性金属のプレート又は他の硬質の非磁性材料のプレートからなる。一対の持上げハンドル４１４が持上げプラットフォーム４１２の表面に取り付けられている。ツール４００がモジュール５０の表示面５２に隣接して配置されるとき、安全ラッチ２７０（図３）を作動させて解放させるため、ラッチ解放磁石４１６の複数組が金属プレート４１２上に固定的に支持されている。イジェクション誘導磁石４１８の複数組は、イジェクタ制御機構４２０上に支持されている。イジェクタ制御機構４２０は、それぞれ、サムホイール４２６を有する、１つ以上のねじ調整具４２４によってプラットフォーム４１２にマウントされたトラベラー４２２を備えている。このねじ調整具４２４は、トラベラー４２２に取り付けられており、プラットフォーム４１２及びモジュール５０（図示せず）に向かって又はそこから離れるように、イジェクション誘導磁石４１８を制御可能に駆動させて位置決めさせることができる。こうして、イジェクタ制御機構４２０は、選択的にかつ制御可能に、モジュール５０のイジェクタ機構２８０（図３及び４）を動作させて解放させる。プラットフォーム４１２は、磁束を通過させるために、磁石４１６，４１８とアライメントされた一連の窓又は孔４２８を含んでいてもよい。
【００２９】
ねじ調整具４２４及びサムホイール４２６は、イジェクション誘導磁石４１８と磁気要素３５との間の吸引的磁力（又は、そこでの解放中の突然の磁力低下）と、磁気要素９０と磁気要素１８４との間の吸引的磁力の結合（又は、そこでの解放）とに起因して、モジュール５０の設置及び取外し中に生じる、乱暴な力を減少させ、又は、回避させる。例えば、磁気要素９０と磁気要素１８４との間の前記吸引的磁力は、７０ポンドの力を超える場合がある。そこで、イジェクション誘導磁石４１８の緩やかかつ制御された移動により、ツール４１０がモジュール５０をスムースに、そのマウントプレートアセンブリにマウントし又はその取外しを可能にする。
【００３０】
図７は、調節可能な止め部２２０の断面を示す。１つ以上の、調節可能な止め部２２０の調節は、調節可能な止め部２２０の軸４３４に沿ったＺ方向におけるキャリア５４及びベースプレート８０の間の距離を調節する。図示の実施形態では、調節可能な止め部２２０は、軸４３４に沿って磁気ヘッド２２２に取り付けられてそこから延在している、ねじ付ステム又はシャンク４３８を含んでいる。磁気ヘッド２２２の上面２２６は、シャンク４３８から離れるように向いている。シャンク４３８は、ねじ接続を介してベースプレート８０に操作可能に結合しており、調節可能な止め部２２０及びその磁気ヘッド２２２が回転することにより、キャリア５４とベースプレート８０との間の距離を調整する。他の実施形態（図示せず）では、調節可能な止め部２２０とベースプレート８０との間の接続は、磁気ヘッド２２２の移動に応じた、カム又は他の機械的な動力伝達機構のような、ねじ接続以外の接続であってもよい。調節可能な止め部２２０は、好適には、磁性部品４３９を含む。この磁性部品４３９は、磁気ヘッド２２２の上面２２６の、第１及び第２窪み内に嵌合して、軸４３４に対して垂直な磁気モーメントベクトルを有する２つの対向する磁極を形成する、一対の希土類磁石４３６であってもよい。
【００３１】
調節可能な止め部２２０の軸４３４に対して垂直な磁場ベクトルを適用するように、回転力は、調節可能な止め部２２０の反対側で保持されたドライバー４４０によって表示パネル部１２の外側から、調節可能な止め部２２０に適用される。ドライバー４４０の磁場ベクトルと、磁性部品４３９の磁気モーメントベクトルとのミスアライメントは、調節可能な止め部２２０に軸４３４周りの回転力を伝える。１つ以上の調節可能な止め部２２０の調節は、表示面５２に隣接して表示面５２の前でドライバー４４０を保持して、ドライバー４４０を軸４３４の周りに回転させることによって行われ、時間的に変化する磁場（回転磁場）を生成する。こうした調節は、Ｚ方向での、キャリア５４とベースプレート８０との間の距離を調節し、表示面５２の平面の傾き又は撓みを達成する。支持プラットフォーム部１７２のモジュール支持面１０６は、Ｘ−Ｙ面を定義し、当該Ｘ−Ｙ面から、Ｚ軸が外側に垂直に延在する。調節可能な止め部２２０の調節は、キャリア５４をＺ軸に沿って移動させ、また、表示面５２及びＺ軸の間の角度を変化させる。こうして、隣接するベースプレート８０が互いに同一の平面にない場合でさえも、１つ以上の調節可能な止め部２２０の調節が、表示パネル部１２をレべリングすることを可能にし、又は、相対的なアライメント及び同一平面化を改善するために、隣接する表示パネル部１２の前後方の位置決め及び傾きの正確な調節を可能とする。従って、キャリア５４とベースプレート８０との間の距離を調節して、それによって、前記キャリアを移動させ、又は、マウントシステムを後側から操作することなく、隣接する表示パネル部１２に対して表示パネル部１２をレべリングするため、磁性部品４３９のそれぞれは、表示パネル部１２の表示面５２に隣接する磁場の印加に対応して移動することができる。
【００３２】
図示の実施形態では、ねじ付シャンク４３８は、肩部４５０を備えた両端ねじである。シャンク４３８は、ヘッド２２２の下側のソケット内にねじ付けられており、肩部４５０及びヘッド２２２の間に一定の寸法隙間を定義し、当該一定の寸法隙間が、ねじ付シャンク４３８の周りに円周チャンネル４５２を形成している。ねじ付シャンク４３８及びヘッド２２２の組み合わせは、調整可能な止め部２２０のねじ４５６を形成する。チャンネル４５２は、ねじ付シャンク４３８が後面２０６を通して突出している位置で、キャリア５４の厚さよりもほんの僅かに広く寸法化されており、シャンクを回転させることができる。一実施形態では、図７に示すように、磁気ヘッド２２２が取込まれるポケット又はキャビティ２３０を形成するため、後面２０６は、キャリア５４に対して取り付けられ又は固定されるカラー４６０を含む。カラー４６０は、シャンク４３８の結合部によって形成された円周チャンネル４５２に取込まれることにより、カラー４６０は、調節可能な止め部２２０のねじ４５６の回転のための支持面を形成する。
【００３３】
とりわけ、キャリア５４にシャンク４３８を保持するチャンネル４５２を備える調節可能な止め部２２０の配置は、１つ以上の調節可能な止め部２２０に対して調節がなされない限り、Ｘ−Ｙ面でのＺ軸に沿ったベースプレート８０に対するキャリア５４の移動を妨げる。
【００３４】
従って、調節可能な止め部２２０は、キャリア５４のような第１オブジェクトと、ベースプレート８０のような第２オブジェクトとの間の、隠蔽された接続を提供するための装置を構成する。調節可能な止め部２２０は、（図７に示すような）ねじ４５６を備えることができる。ねじ４５６は、軸４３４を備えたねじ付シャンク４３８を有し、また、円周チャンネルとシャンク４３８に取り付けられたヘッド２２２とを定義する。カラー４６０は、前記第１オブジェクトに取り付け可能であってチャンネル４５２内でシールされることにより、ねじ４５６は、前記第１オブジェクトに回転可能に取り付けられ、（キャリア５４の外面２０４のような）前記第１オブジェクトの外面の下に、当該第１オブジェクトの前記外面に隣接するヘッド２２２と共に隠蔽される。カラー４６０及びチャンネル４５２は、前記ねじが前記第１オブジェクトに対して回転することを許容するように寸法化され、同時に、ねじ４５６に対して軸４３４に沿った前記第１オブジェクトの移動を防止する。カラー４６０及びチャンネル４５２は、前記ねじが前記第１オブジェクトに対して回転することを許容するように寸法化され、同時に、ねじ４５６に対して軸４３４に沿った前記第１オブジェクトの移動を防止する。
【００３５】
上述の各実施形態の詳細について、発明の原理から逸脱しない範囲で、様々な変更がなされ得ることは明らかである。すなわち、本発明の技術的範囲は、もっぱら次の特許請求の範囲の記載に基づいて定めるべきものである。
【図１】
0006596507.tif 000002
【図２】
0006596507.tif 000003
【図３】
0006596507.tif 000004
【図４】
0006596507.tif 000005
【図５】
0006596507.tif 000006
【図６】
0006596507.tif 000007
【図７】
0006596507.tif 000008